(57)【特許請求の範囲】
【請求項１】
人体に電位を作用させる電位線と人体へ温熱を供給する発熱線と前記電位線及び発熱線を面状に配線固定するシート状構成材よりなり、前記シート状構成材は、繊維材料からなる２重の生地構成であり、前記電位線を挿入固定する電位線挿入孔と前記発熱線を挿入固定する前記電位線挿入孔と異なる発熱線挿入孔とを有し、前記電位線は、電位を出力する金属よりなる導線であり、この導線に近接して電気絶縁物を介して前記導線と異なる他の導体を構成してなる家庭用電気治療器。
【請求項２】
人体に電位を作用させる電位線と人体へ温熱を供給する発熱線と前記電位線及び発熱線を面状に配線固定するシート状構成材よりなり、前記シート状構成材は、繊維材料からなる２重の生地構成であり、前記電位線を挿入固定する電位線挿入孔と前記発熱線を挿入固定する前記電位線挿入孔と異なる発熱線挿入孔とを有し、前記電位線が、電位を出力する金属よりなる導線であり、この導線に近接して誘電率の温度依存性を有する結晶性高分子材料を介して前記導線と異なる他の導体を構成してなる家庭用電気治療器。
【請求項３】
人体に電位を作用させる電位線と人体へ温熱を供給する発熱線と前記電位線及び発熱線を面状に配線固定するシート状構成材よりなり、前記シート状構成材は、繊維材料からなる２重の生地構成であり、前記電位線を挿入固定する電位線挿入孔と前記発熱線を挿入固定する前記電位線挿入孔と異なる発熱線挿入孔とを有し、前記電位線は、電位を出力する金属よりなる導線であり、この導線に近接して正の抵抗温度係数を有する導電材料を介して前記導線と異なる他の導体を構成してなる家庭用電気治療器。
【発明の詳細な説明】
【０００１】
【発明の属する技術分野】
本発明は、家庭用電気治療器、特に温熱・電位治療器や加温式電位治療器の発熱線、電位線の電位出力構成に関する。
【０００２】
【従来の技術】
従来のこの種の家庭用電気治療器は、例えば、発熱線による温熱部とトランス等による数百ボルトの電位出力部をふとん等の寝具に配設し、寝ながらにして健康づくりのできる治療器として構成されていた。この温熱部はふとんの足元から胸元まで構成され、電位出力部は、背中部に構成されることが多かった。人体に電位を作用させることにより、頭痛、肩こり、不眠症、慢性便秘に効果・効能を奏するものであった。
【０００３】
なお、温熱治療器としては、温熱効果、すなわち、疲労の回復、血行をよくする、筋肉の疲れをとる、筋肉のこりをほぐす、神経痛・筋肉痛の傷みの緩解、胃腸の働きを活発にする効果・効能を有している。
【０００４】
【発明が解決しようとする課題】
しかしながら、こうした電位治療器等の家庭用電気治療器は、特に電位治療時、電位出力用の電位線と温熱用の発熱線が接触する部分が少なくないため、この接触部分の影響を受け、誘導電位出力が低下するという課題を有していた。また、加温式電位治療器のように、温熱を加えながら電位治療できるタイプの製品では、発熱線の温度検出部が電位出力の影響を受け、発熱線の設定温度がシフトするという課題も有していた。
【０００５】
【課題を解決するための手段】
上記課題を解決するために本発明の電位治療器は、人体に電位を作用させる電位線と人体へ温熱を供給する発熱線と前記電位線及び発熱線を面状に配線固定するシート状構成材よりなり、前記シート状構成材は、繊維材料からなる２重の生地構成であり、前記電位線を挿入固定する電位線挿入孔と前記発熱線を挿入固定する前記電位線挿入孔と異なる発熱線挿入孔を有してなるように構成したものである。
【０００６】
上記発明によれば、電位線はこの２重の生地構成の電位線挿入孔に、発熱線は同生地構成の電位線挿入孔と異なる発熱線挿入孔にそれぞれ挿入され固定されるので、電位線挿入孔および発熱線挿入孔において電位線と発熱線とが一定の距離を置くため相互に影響し合うことがほとんどなくなり、電位出力、発熱温度等の誤作動を軽減することができる。
【０００７】
【発明の実施の形態】
本発明は、人体に電位を作用させる電位線と人体へ温熱を供給する発熱線と前記電位線及び発熱線を面状に配線固定するシート状構成材とを有するものである。
【０００８】
このシート状構成材を２重の織物で構成し、２重の生地間の接合部を織物構成で接合し、電位線挿入孔及び発熱線挿入孔を形成することにより、誘導電位出力の低下や発熱温度の誤作動を簡易に防止することができる。
【０００９】
さらに、この電位線を金属よりなる導線で構成し、この導線に近接して電気絶縁物を介して導体を配してなる構成により、誘導電位出力を他の導体まで拡大できるので電位出力の低下を抑制することができる。
【００１０】
さらに、この電位線を金属よりなる導線で構成し、この導線に近接して誘電率の温度依存性を有する結晶性高分子材料あるいは正の抵抗温度係数を有する導電材料を介して導体を配してなる構成であるので、誘電率の温度依存性を有する結晶性高分子材料の場合は、例えば人の寝ている相対的な高温部に電位出力を高めることができる。そして、正の抵抗温度係数を有する導電材料の場合は、例えば温熱等で高温になりすぎた部分への電位を抑制することができ、安全性が向上する。
【００１１】
また、上記の他の導体を電位線より長い導線で構成することにより、人体に帯電させる誘導電位を高めるとともに、万一電位線の断線があっても他の導体を通じて電位出力できるので、耐久性を高めることもできる。
【００１２】
また、他の導体の電位線との反対面に電気絶縁体を構成することにより、電気絶縁性能をさらに高めることができる。
【００１３】
このように、各種構成手段を導入して、人体に帯電させる誘導電位を高めるように前記電位線と前記発熱線との距離を離して構成する、もしくは、前記電位線の電位発生面積を高めて構成することにより、人体への誘導電位出力を確保して、治療効果を高めていくことができる。
【００１４】
以下、本発明の実施例を図面に基づいて説明する。
（実施例１）
図１は本発明の実施例１の家庭用電気治療器としての温熱あるいは加温式電位治療器の外観図である。また、図２はこの家庭用電気治療器の要部構成図である。また、図３はこの家庭用電気治療器のシート状構成材の構成図である。また、図４は比較説明用のシート状構成材の構成図である。
【００１５】
図において、１は家庭用電気治療器の治療用のふとんであり、このふとん１中に発熱線２と電位線３を配線固定したシート状構成材４を構成している。また、５は電位出力用トランス、電位出力用の制限抵抗等の安全回路、温度制御回路等を内蔵したコントローラである。図２は発熱線２、電位線３及びシート状構成材４の構成の詳細を示すが、発熱線２及び電位線３は所定の間隔Ａを隔てて配線されるように構成されている。さらに、このシート状構成材４の詳細を示す構成図を図３に示すが、シート状構成材４は袋状に構成された布状構成材であり、接結糸によって２重の生地が接合された接合部６によって発熱線用及び電位線用の挿入孔が形成されるように織られている。そして、発熱線２及び電位線３はそれぞれの挿入孔に挿入固定されるように構成されている。
【００１６】
実際に、発熱線２と電位線３の上記間隔Ａの距離を３５ｍｍとしたものと、上記間隔Ａの距離をとらない比較例の構成とで比較実験を行った。ここで、この比較例の構成としては、同一のシート状構成材４に発熱線２及び電位線３を図４に示すように配線したものを比較サンプルとした。この結果、電位線へのコントローラ５の出力を６００Ｖにして、同一のふとん１の環境で、この上に人が寝て、人体にかかる誘導電位を高圧電圧計（入力抵抗：１０００ＭΩ）で測定した。この結果、発熱線２、電位線３及びシート状構成材４の構成を図４の比較例の構成にしたものでは３２０Ｖであったが、本発明の図２の構成では、４５５Ｖの出力を確認できた。このように、発熱線２と電位線３との間隔をとる構成にすることにより、発熱線等による電位の低下を軽減できるという優れた効果を奏するものであった。
【００１７】
さらに、加温式の電位治療器の場合、発熱線と電位線を同時出力するが、発熱線にナイロン１２をベースとしたイオン伝導型、誘電型の高分子感熱体を用いた温度検出機能を有した発熱線を用いて、本発明の上記図２の構成と比較例の図４の構成で、コントローラから電位出力６００Ｖを同時出力させることにより発熱温度がどう変化するかを測定した。この結果、上記比較例では、５℃の温度ドリフトがあったものの、本発明の図２の構成では、１℃以内の温度変化であり、発熱温度の誤作動を軽減するという効果を確認することもできた。
【００１８】
（実施例２）
図５は、人体に作用する電位線を金属よりなる導線で構成し、この導線に近接して電気絶縁物を介して導体を構成したものの斜視図である。図５において、７は銅等の金属よりなる電位線であり、この外表面を電気絶縁体８で被覆し、さらにこの外表面に密着させて、アルミニウム等よりなる導体９を構成している。これにより、導体９に電位線７からの誘導電位が発生し、発熱線等からの影響を防止する方向に作用することができる。
【００１９】
さらに、この電気絶縁体８の部分に誘電率の温度依存性を有する結晶性高分子材料あるいは正の抵抗温度係数を有する導電材料を構成することにより、各種効果を奏することができる。誘電率の温度依存性を有する結晶性高分子材料を構成する場合には、例えば人の寝ている側の面に誘電率の温度依存性を有する結晶性高分子材料を介して、導体を構成することにより、ふとん等の湿気等によることなく、さらに人体に帯電される誘導電位を高めることができる。また、正の抵抗温度係数を有する導電材料を構成する場合には、例えば温熱等で高温になりすぎた部分への電位を抑制することができ、安全性を向上させることができる。なお、電位線には、制限抵抗等の安全回路が接続されており、電位線に直接触れても感電するようなことはない。
【００２０】
さらに、上記の導体を電位線より長い導線で構成することにより、人体に作用させる誘導電位を高める方向に作用でき、また前記電気絶縁物、前記結晶性高分子材料、前記導電材料等に導線を巻き付けることにより実現できるので、加工もしやすいという利点をもつものである。
【００２１】
また、前記他の導体を構成するものにあっては、前記他の導体を通じて電位出力できるので、万一電位線が断線するようなことがあっても、他の導体から誘導電位を出力できるので、この家庭用電気治療器の耐久性を高めることにもつながる。
【００２２】
（実施例３）
図６は上記他の導体の電位線との反対面に電気絶縁体を構成した、本発明の実施例３の斜視図である。図６において、１０は電位線であり、芯糸１１に巻き付けられており、この外表面を電気絶縁体１２で被覆し、さらにこの外表面に金属導線よりなる導体１３を巻き付け、さらに電気絶縁体１４を構成している。電位出力は導体１３を用いてもよいが、電位線１０に出力することにより、電位出力を高める効果の他、電気絶縁体１４が損傷しても電気絶縁体１２で電気絶縁できるので、電気絶縁性をさらに高める効果も有するものである。
【００２３】
以上述べてきたように、各種構成手段を導入して、人体に作用させる誘導電位を高めるように前記電位線と前記発熱線との距離を離して構成されてなる、もしくは、前記電位線の電位発生面積を高めて構成されてなる家庭用電気治療器であれば、どのようなものであってもよく、電位線と発熱線とが相互に影響し合うことがほとんどなくなり、電位出力、発熱温度等の誤作動を軽減することができるものであり、実用上の効果もきわめて大きい。
【００２４】
【発明の効果】
以上のように本発明の家庭用電気治療器によれば、人体に電位を作用させる電位線と人体へ温熱を供給する発熱線と前記電位線及び発熱線を面状に配線固定するシート状構成材よりなり、このシート状構成材に電位線を挿入固定する電位線挿入孔と発熱線を挿入固定する電位線挿入孔と異なる発熱線挿入孔をそれぞれ構成することにより、電位線挿入孔および発熱線挿入孔において電位線と発熱線とが一定の距離を置くため相互に影響し合うことがほとんどなくなり、電位出力、発熱温度等の誤作動を軽減することができる。
【００２５】
また、この電位線を金属よりなる導線で構成し、この導線に接近してさらに電気絶縁物を介して他の導体を配してなる構成にすることにより、誘導電位出力を他の導体まで拡大できるので電位出力の低下を抑制することができる。
【００２６】
さらに、この電位線を金属よりなる導線で構成し、この導線に接近して誘電率の温度依存性を有する結晶性高分子材料あるいは正の抵抗温度係数を有する導電材料を介して他の導体を配する構成にすることにより、例えば人の寝ている相対的な高温部への誘導電位出力を高めたり、温熱等で高温になりすぎた部分への電位を抑制したりすることができ、性能・安全性を向上させるものでもある。
【００２７】
このように、各種構成手段を導入して、人体に作用させる誘導電位を高めるように前記電位線と前記発熱線との距離を離して構成する、もしくは、前記電位線の電位発生面積を高めて構成することにより、人体への誘導電位出力を確保して、治療効果を高めていくことができる。
【図面の簡単な説明】
【図１】本発明の実施例１の家庭用電気治療器の外観図
【図２】同家庭用電気治療器の要部構成図
【図３】同家庭用電気治療器のシート状構成材の構成図
【図４】本発明の比較説明用の家庭用電気治療器の要部構成図
【図５】本発明の実施例２の家庭用電気治療器の要部斜視図
【図６】本発明の実施例３の家庭用電気治療器の要部斜視図
【符号の説明】
１  治療用ふとん
２  発熱線
３、７、１０  電位線
４  シート状構成材
５  コントローラ
６  生地の接合部
８、１２、１４  電気絶縁体
９、１３  導体
１１  芯糸
【図１】
0003855316.tif 000002
【図２】
0003855316.tif 000003
【図３】
0003855316.tif 000004
【図４】
0003855316.tif 000005
【図５】
0003855316.tif 000006
【図６】
0003855316.tif 000007